(57)【要約】【課題】災害発生時などにおいて、移動機の待ち受け時の電力消費を低減する。【解決手段】複数の通常通信用セル１０からなる移動通信システムにおいて、通常通信用セル１０よりもエリアが広く、ページングなどの単方向通信のみが可能な緊急待ち受けセル１２を設定する。災害発生時には、緊急待ち受けセルの情報をＣＢＳにより移動機に一斉同報することにより、移動機は緊急待ち受けセルを使用する緊急モードに移行する。【選択図】図１
2010035023.tif 000002
【特許請求の範囲】
【請求項１】
移動機との間で双方向で通信して移動機に通常の移動通信サービスを提供する複数の第１の基地局と、
該第１の基地局よりも疎らに配置され、該第１の基地局の送信電力よりも大きい送信電力で移動機への単方向通信を行う複数の第２の基地局とを具備する移動通信システム。
【請求項２】
前記第１の基地局は、複数の移動機に前記第２の基地局の情報を同報通信することにより、第２の基地局と移動機との間の前記単方向通信を可能にする請求項１記載の移動通信システム。
【請求項３】
移動機との間で双方向で通信して移動機に通常の移動通信サービスを提供する複数の第１の基地局と、該第１の基地局よりも疎らに配置され、該第１の基地局の送信電力よりも大きい送信電力で移動機への単方向通信を行う複数の第２の基地局とを具備する移動通信システムにおいて用いられ、
前記第１の基地局との間で双方向で通信する手段と、
前記第２の基地局からの単方向通信を受信する手段とを具備する移動機。
【請求項４】
第２の基地局からの単方向通信の受信は、前記第１の基地局からの第２の基地局の情報の受信に応答して開始される請求項３記載の移動機。
【発明の詳細な説明】
【技術分野】
【０００１】
本発明は、災害発生時などにおいて、待ち受け状態の移動機の電力消費を低減することのできる移動通信システムおよびそれにおいて用いられる移動機に関する。
【背景技術】
【０００２】
移動通信システムの移動機は、待ち受け状態のとき、ネットワーク（基地局）から定期的に送信される報知情報を受信する。報知情報には在圏している待ち受けセル（自セル）の周辺の複数のセルの周波数などの情報が含まれている。移動機はこの情報に基づき、それら周辺セルのレベル測定を定期的に行う。そして、自セルのレベルと周辺セルのレベルが入れ替わった（ある周辺セルのレベルが自セルより高くなった）場合に、リセレクションと呼ばれる動作をして圏外状態を経由することなく継続した待ち受け状態を維持している。しかし、そのためには、自セルの他に周辺セルも測定する必要があるので、測定に必要な電力消費が発生している。
【０００３】
災害時など移動機の充電が満足に出来ない状況では、移動機の電力消費を抑えることが重要になる。前述したように、待ち受け時でも自セルおよび周辺セルのレベル測定動作を定期的に行っており、これらを抑止できれば更なる省電力に繋げることが可能となる。
【０００４】
なお、下記特許文献１には、移動機の省電力化に関するものではないが、災害発生時にＣＢＳ（Ｃｅｌｌ  Ｂｒｏａｄｃａｓｔ  Ｓｅｒｖｉｃｅ）を利用した一斉同報により、移動機のユーザに緊急情報を伝達することが記載されている。
【０００５】
【特許文献１】特開２００２−７８００５３号公報
【発明の開示】
【発明が解決しようとする課題】
【０００６】
したがって本発明の目的は災害発生時などにおいて、待ち受け状態にある移動機の電力消費を低減することにある。
【課題を解決するための手段】
【０００７】
この課題は、移動機との間で双方向で通信して移動機に通常の移動通信サービスを提供する複数の第１の基地局と、該第１の基地局よりも疎らに配置され、該第１の基地局の送信電力よりも大きい送信電力で移動機への単方向通信を行う複数の第２の基地局とを具備する移動通信システムにより達成される。
【０００８】
前述の課題は、移動機との間で双方向で通信して移動機に通常の移動通信サービスを提供する複数の第１の基地局と、該第１の基地局よりも疎らに配置され、該第１の基地局の送信電力よりも大きい送信電力で移動機への単方向通信を行う複数の第２の基地局とを具備する移動通信システムにおいて用いられ、前記第１の基地局との間で双方向で通信する手段と、前記第２の基地局からの単方向通信を受信する手段とを具備する移動機によっても達成される。
前述の第１の基地局とは、例えば、通常の移動通信システムにおける基地局、すなわち、通常基地局であり、第２の基地局とは、例えば、通常の基地局に対して追加的に配置される緊急用基地局である。
【発明の効果】
【０００９】
第２の基地局は第１の基地局よりも疎らに配置され、その送信電力は第１の基地局の送信電力よりも大きいので、第２の基地局が提供する待ち受けセルは第１の基地局が提供するセルよりも広い範囲をカバーすることができる。したがって、第２の基地局が提供する待ち受けセルを使用する間、移動機は周辺セルの電力レベルを測定しなくても圏外状態を経由することなく待ち受け状態を維持することができる。
【００１０】
また、基地局から移動機への単方向通信のみが行なわれるので、移動機の収容数には制限がなく、エリアを広くとることができる。
【発明を実施するための最良の形態】
【００１１】
一実施形態に係る移動通信システムの概要を図１に示す。本システムにおいては、図中×印で示す移動機に、通常の移動通信サービスを提供する複数の通常通信用セル１０（実体としては各通常通信用セルの領域内に設けられる、または各通常通信用セルを実現する基地局、以下通常基地局）の他に、複数の緊急待ち受けセル１２（実体としては各緊急待ち受けセルを実現する緊急用基地局）が設定される。
【００１２】
緊急待ち受けセル１２を実現する緊急用基地局の送信電力は通常通信用セル１０を実現する通常基地局の送信電力よりも大きいので、緊急待ち受けセル１２のそれぞれは、例えば、通常通信用セル１０における自セルとその周辺セルをカバーし得る広さである。したがって、移動機が通常通信用セル１０における自セルから周辺セルへ移る程度に移動したとしても、セルをリセレクションする必要がない。すなわち、緊急待ち受けセル１２を使用している間は、移動機は周辺セルの電力レベルを測定することなく待ち受け状態を継続することができる。
【００１３】
また、矢印１４で示すように、通常通信用セル１０では移動機と基地局との間で双方向の通信が行なわれているのに対して、緊急待ち受けセル１２では、矢印１６で示すように、待ち受け状態の移動機に着信を知らせるページングのように、基地局から移動機への単方向の通信のみが可能である。
【００１４】
この緊急待ち受けセルを実現する緊急用基地局は通常通信用セルを実現する通常基地局よりも疎らにそれらとは別個に配置されるが、通常基地局の一部と兼用して、送信電力、周波数、スクランブルコード等を切り換えて使用しても良い。
【００１５】
移動通信事業者は、災害発生時などに、被災エリアに対して緊急待ち受けセルを有効にする。次に、災害エリア内の移動機に対してＣＢＳを用いた緊急報知メッセージを送信する。そのメッセージには、図２に示すように、ユーザ向けのメッセージ１８の他に、有効にした緊急待ち受けセルの情報２０（周波数、スクランブルコード）が非テキストデータの形で含まれている。互いに隣接する緊急待ち受けセルが複数設置される場合には、情報２０にはその個数分の情報が含まれている。
【００１６】
図３は緊急報知メッセージを受信した移動機のソフトウェア処理の一例を示すフローチャートである。緊急待ち受けセルの情報を含んだＣＢＳメッセージを受信した移動機は、ユーザ向けのメッセージのみ画面に表示してユーザに通知する（ステップ１０００）。緊急待ち受けセル情報２０に関しては移動機内部で処理する。
【００１７】
緊急待ち受けセル情報２０が含まれていた場合（ステップ１００２）、待ち受け処理のモードを通常の処理を行う通常モードから、緊急時モードに変更する（ステップ１００４）。緊急時モード（ステップ１００６）では、待ち受けセルの待ちうけレベルのみ測定し（ステップ１００８）、通常行う周辺セルのレベル測定は行わない。自セルのみの測定のため、移動等に伴うレベル劣化が発生した場合（ステップ１００８）および緊急時モードを開始する時（ステップ１００４）には、圏外時のセルサーチを実施する必要がある。緊急時モード中は、サーチ対象をまずＣＢＳメッセージに含まれていた緊急待ち受けセルに限定する（ステップ１０１０）。その中から見つかれば（ステップ１０１２）、見つかった緊急待ち受けセルで緊急時モードを維持する（ステップ１００６）。見つからなかった場合には、通常モードに復帰する（ステップ１０１４）。
【００１８】
また、「緊急待ち受けセル」はその名の通り待ち受けのみが許されるセルなので、網側からの着信（ページング）を受信することのみが出来る。着信に応答する時、発信する時、電子メールを送る時など、網側へアクセスする場合（ステップ１０１６）、一時的に通常モードへ復帰して（ステップ１０１８）、併設された通常セルにリセレクションしてアクセスする。こうすることで、緊急待ち受けセルの収容数には制限がないことになり、エリアを広くとることができる。
【００１９】
また、緊急待ち受けセル内で待ち受けのみを行っている際には、網側からのページングの有無を受信する間隔（間欠受信間隔）を通常の待ち受け時に比べて長く設定することで、更なる省電力を図ることが可能となる。
【００２０】
図４は移動機のハードウェア構成の概略を示す。ハードウェア構成に関しては、従来の移動機から変更すべき点はない。
【００２１】
移動機３０は、ネットワークと無線通信を行う無線部３２と、セルを検出するセル検出部３４と、それらを制御する制御部８６と、ユーザの操作を受け付け、画面に表示するユーザＩＦ部３８と、各種データを保存するメモリ部４０を含んでいる。セル検出部３４では周辺セルの検出、自セルのレベル測定なども行う。図３に示すソフトウェア処理は制御部３６において実行される。
【００２２】
前述のセルサーチは、無線の同期をとってからスクランブルコード検出を行うことでセル（基地局からの電波）を特定することにより行う。その後、その電波の強度を測定して通信可能なセルを見い出す。
【００２３】
図２の緊急報知メッセージのテキスト部分は制御部３６を通じてユーザＩＦ部３８に渡されそこで表示される。緊急待ち受けセルの周波数などの非テキスト情報は、メモリ部４０に格納され、制御部３６が使用する。
【図面の簡単な説明】
【００２４】
【図１】一実施形態に係る移動通信システムの概要を示す図である。
【図２】緊急報知メッセージの構成の一例を示す図である。
【図３】移動機における処理のフローチャートである。
【図４】移動機のハードウェア構成を示すブロック図である。
【図１】
2010035023.tif 000003
【図２】
2010035023.tif 000004
【図３】
2010035023.tif 000005
【図４】
2010035023.tif 000006